(57)【要約】【課題】映像・音声記録装置の利用者の操作に対する結果反映速度は充分ではない。また、特に電源切状態から電源入状態への遷移には多くの時間がかかり、この問題を解決するための『常に半起動状態』では省電力に問題がある。利用者の操作に対し充分な速度の結果反映が可能であり、かつ省電力が可能な映像・音声記録装置が望まれる。【解決手段】映像・音声記録装置に利用者が行なう操作の履歴を記録する記録手段と、前記記録手段で記録された履歴情報から、利用者が行なう操作の内容を予測する予測手段と、上記予測手段により得られた予測結果を元に装置を制御する手段を追加する。予測結果から得られた利用者が映像・音声記録装置を利用する時間帯のみ『半起動状態』での待機を行うことで利用者の電源入を伴う操作に充分な速度で対応する。同様に予測結果から、次に利用者が行う操作の結果の出力を準備した状態で待機する。【選択図】図１
2007124464.tif 000002
【特許請求の範囲】
【請求項１】
利用者が行なう操作の履歴を記録する記録手段と、
前記記録手段で記録された履歴情報から、利用者が行なう操作の内容を予測する予測手段と、
利用者が次の操作を行うと予測された時間内は、前記予測手段で予測した操作内容を準備して、予測した操作内容により発生する結果の出力を待機させる制御手段を備えることを特徴とするデータ処理装置。
【請求項２】
利用者が行なう操作の履歴を記録する記録手段と、
利用者が操作を行なう実時間を計測する計測手段と、
前記記録手段で記録された履歴情報と前記計測手段で計測された時刻から、利用者が操作を行う時間帯を予測する予測手段と、
前記予測手段で予測した時間帯では装置を半起動状態とさせる制御手段を備えることを特徴とするデータ処理装置。
【請求項３】
利用者が行なう操作は、利用者が電源状態を変化させる際に行なう操作である、請求項１または請求項２に記載のデータ処理装置。
【請求項４】
利用者が行なう操作は、利用者が連続して行なう操作である、請求項１または請求項２に記載のデータ処理装置。
【請求項５】
利用者が行なう操作の履歴を記録する記録ステップと、
前記記録ステップで記録された履歴情報から、利用者が行なう操作の内容を予測する予測ステップと、前記予測ステップで得られた予測結果の時間内は、前記予測ステップで予測した操作内容を準備して、前記予測ステップで予測した操作内容の結果の出力を待機させる制御ステップを有するデータ処理方法。
【請求項６】
利用者が行なう操作の履歴を記録する記録ステップと、
利用者が操作を行なう実時間を計測する計測ステップと、
前記記録ステップで記録された履歴情報と前記計測ステップで計測された時刻から、利用者が操作を行う時間帯を予測する予測ステップと、
前記予測ステップで予測した時間帯では装置を半起動状態とさせる制御ステップを有するデータ処理方法。
【発明の詳細な説明】
【技術分野】
【０００１】
本発明は、映像・音楽を含む放送を記録媒体に記録する機能を持ち、電子番組表の受信及び表示を行う装置の電源制御、及び利用者が体感する処理速度を最適化する方法に関するものである。
【背景技術】
【０００２】
従来から映像・音楽を含む放送の記録媒体を持つ装置が使用されている。ここで特に電子番組表の受信及び表示を行う機能を有する装置が存在する。上記技術において過去の利用情報から電子番組表の取得のための電源制御を効率的に行う技術を付加した装置が存在する。本件に関係する文献として、特許文献１及び２がある。
【特許文献１】特開２０００−１２３４６０号公報
【特許文献２】特開２００１−２４５２２７号公報
【発明の開示】
【発明が解決しようとする課題】
【０００３】
従来の記録装置は、利用者の操作を発端として、次動作を開始する。そのため動作の開始にかかる時間が大きい操作、電源の起動や電子番組表表示をはじめとする各種付属機能の起動のための時間が利用者への利便性を損なってしまう問題が生じる。
【０００４】
また、利用者への利便性を確保するために、利用者が行う可能性のある全ての操作に対する準備を記録装置が行うことは消費電力の面から現実的ではない。同様に記録装置の部品にかかる資源も従来よりも多く必要になるため現実的ではない。
【０００５】
したがって、利用者は利便性と低消費電力の双方を必要としており、利便性を損なわずに、これらの要求の両方を満たした、映像・音楽を含む放送の記録、及び電子番組表等の機能を動作させることが可能な装置に対する要求が必然的に発生している。
【課題を解決するための手段】
【０００６】
上記課題を解決するために、本発明は、利用者が行なう操作の履歴を記録する記録手段と、記録手段で記録された履歴情報から、利用者が行なう操作の内容を予測する予測手段と、利用者が次の操作を行うと予測された時間内は、予測手段で予測した操作内容を準備して、予測した操作内容により発生する結果の出力を待機させる制御手段を備えるデータ処理装置に係わるものである。
【０００７】
また、利用者が行なう操作の履歴を記録する記録手段と、利用者が操作を行なう実時間を計測する計測手段と、記録手段で記録された履歴情報と計測手段で計測された時刻から、利用者が操作を行う時間帯を予測する予測手段と、予測手段で予測した時間帯では装置を半起動状態とさせる制御手段を備えるデータ処理装置に係わるものである。
【発明の効果】
【０００８】
利用者の利用する時間帯を学習し、その時間帯のみ機器の高速な起動、すなわち映像・音声記録装置からの出画がすぐに行える状態での待機を実現できる。また、時間帯によって電源の起動と同時に行う機能の準備を行うことで利便性の高い記録装置が実現できる。
【発明を実施するための最良の形態】
【０００９】
以下、本発明の実施例について説明する。
【００１０】
（実施の形態）
図１は本実施例の構成を示すブロック図である。本実施例の映像・音声記録装置１０１は、商用電源１に接続しているコンセント２と、記録装置のプラグ１０２、電源回路１０３、予約起動、すなわち利用者の操作をのみをトリガーとはせず、内部の情報による起動も行う制御手段１０４が存在する。また、録画機器であるので磁気記録装置１０５や光学記録装置１０６、放送受信装置１０７、画像・音声出力装置１０８等が存在する。利用者が操作した状況・日時を記録する履歴記録手段１０９と、電子番組表などのその他の各種機能を制御する制御手段１１０が存在する。
【００１１】
図２は本発明の実施の形態における動作の流れを示す図である。以下に図１と図２を用いながら、本発明の実施の形態における動作を説明する。例として利用者が上記装置を使用する際、平日朝６〜８時の間に電子番組表を表示する操作により、映像・音声記録装置（以下「録画機」）を起動させ、番組を予約する。また、２０〜２２時の間に録画済コンテンツの一覧を表示する操作により録画機を起動させるとする。この場合、前記履歴記録手段１０９と制御手段１１０により実現する図２の予測手段１１１により、この利用者の電源起動を伴う操作と操作を行う時間帯を学習、予測する。上記のような使用例の場合、録画機は図２左図の『電源入操作がされると予測される時間帯』と判断し、予測結果である６〜８時には電子番組表の表示準備をした状態で待機し、２０〜２２時には録画済コンテンツの一覧を表示する準備をした状態で待機する。ただし、外部から見た場合、装置は出力機器への映像出力を行わず、また装置の表面に存在する各種表示も電源がＯＦＦである状態と同一とすることで、利用者からは電源がＯＦＦであるように認識される。この内部的に電源がＯＮ状態で出画を行っていない状態を“見た目ＯＦＦ”状態とする。また同様に他の時間帯には図２左図の『電源入操作がされると予測される時間帯以外』と判断し、完全な電源切状態で待機することで消費電力を抑える。上記のようにして、利用者は録画機が起動するまでの時間を待つことがないという利便性を享受することが出来る。この使用状態の場合、常に“見た目ＯＦＦ”状態で待機しつつける場合に対して、１日あたり２０時間分の電力消費を抑えることが可能である。さらに、時間と同様に曜日、祝祭日等の情報から録画機の待機状態を決定することが考えられる。
【００１２】
上記のように特定の利用者の習慣を学習するため、最終的に利用者毎に異なる動作の準備、ならびに利用者の生活時間毎に適した省電力化が、利用者の手を煩わせることなく実現可能となる。つまり、上記のような例と生活時間帯が全く異なる利用者、例えば主に夜間に活動する利用者でも学習により、その利用者に適した“見た目ＯＦＦ”状態での待機時間を設定するため利便性、ならびに省電力性は損なわれることがない。
【００１３】
利用者が電子番組表を表示する時間帯を上記実施例と同様の手段により学習することで、利用者が電子番組表の表示操作をすると予想される直前の電子番組表を取得することで更なる省電力が可能となり、利用者は常に最新の情報を閲覧することが可能となる。
【００１４】
利用者が良く行う操作の順序を学習することで、あらかじめ次の操作に対する出力の準備を行いより利便性の高い操作を利用者に提供する。例として、ある利用者が映像・音声記録装置内の映像コンテンツを削除した後、次の操作として電子番組表を表示する操作を行う確率が高いとする。この場合、前記履歴記録手段１０９と制御手段１１０により実現する図２右図の予測手段１１１により、操作Ａ、上記の場合『コンテンツの削除』という操作の後に連続する操作Ｂ、上記の場合『電子番組表の表示』が行われることを予測し、操作Ｂつまり『電子番組表の表示』の準備を行うことでその利用者にとって快適な動作を提供することが可能である。
【産業上の利用可能性】
【００１５】
本発明は、映像・音楽を含む放送を記録媒体に記録する機能を持ち、電子番組表の受信及び表示を行う装置に適用できる。
【図面の簡単な説明】
【００１６】
【図１】本発明の実施の形態における通電制御装置の構成を示すブロック図
【図２】本発明の実施の形態における動作の流れを示す図
【符号の説明】
【００１７】
１    商用電源
２    コンセント
１０１    映像・音声記録装置
１０２    プラグ
１０３    電源回路
１０４    起動制御手段
１０５    磁気記録装置
１０６    光学記録装置
１０７    放送受信装置
１０８    画像・音声出力装置
１０９    操作履歴記録手段
１１０    機能制御手段
１１１    予測手段
【図１】
2007124464.tif 000003
【図２】
2007124464.tif 000004